(57)【要約】【課題】  印刷装置内の印刷情報よりパーソナルコンピュータ等の印刷端末内にある印刷形式になっていないデータが先に印刷される様な連続一括指示操作においては、パーソナルコンピュータ等の印刷端末内にあるデータの印刷形式への変換処理が終了するまでは印刷が開始されずにいたため、全処理時間を短縮ことが出来ず、印刷装置内の印刷情報を保持する意味合いが薄かった。【解決手段】  操作端末側で複数のデータの連続印刷を指示する場合に、印刷装置内に保持される印刷情報（ビット情報）が再利用できる印刷の指示を先に行い、その間、操作端末側では他のデータのコマンド情報からビット情報への変換を行い、最も時間を必要とする印刷時間の効率を図る。【選択図】  図２
2007109153.tif 000002
【特許請求の範囲】
【請求項１】
印刷に供せられる情報類を双方向に伝送する伝送手段により一体化された印刷端末と印刷装置からなる印刷システムにおいて、
前記印刷端末は指示された印刷順位に従う複数の印刷元情報の印刷処理に先立ち、前記印刷装置が保存する印刷管理情報を前記伝送手段を経由して取得し、その印刷管理情報に基づき印刷元情報の印刷情報への加工、印刷情報の前記伝送手段を経由しての前記印刷装置への伝送、或いは前記印刷端末に印刷指示情報を前記伝送手段を経由しての伝送を、指示された印刷順位に変更を行ない、
前記印刷装置は前記印刷端末より前記伝送手段を経由して伝送された印刷情報の保存、印刷情報の印刷と印刷管理情報の更新を、印刷指示情報が伝送された場合には印刷情報の印刷を行なう、
ことを特徴とする印刷システム。
【請求項２】
前記請求項１に記載の印刷管理情報が印刷元情報を印刷情報に加工する際に使用される情報を含む前記請求項１に記載の印刷システム。
【請求項３】
前記請求項２に記載の印刷管理情報が印刷元情報を印刷情報に加工する際に使用される情報が印刷プロファイル情報と印刷プロファイルの設定値である前記請求項１及び２に記載の印刷システム。
【請求項４】
前記請求項１に記載の印刷指示情報が印刷部数情報を含み、前記請求項１に記載の印刷管理情報が印刷部数情報を含み、前記請求項１に記載の印刷装置は印刷情報内の印刷部数が有意であれば、それを用い、無意であれば印刷管理情報に記録される部数を用い印刷する前記請求項１に記載の印刷装置である前記請求項１乃至３に記載の印刷システム。
【請求項５】
前記請求項１に記載の前記印刷端末は自身に自らを特定する特定情報有し、さらに印刷指示情報に特定情報含み、その特定情報を前記請求項１に記載の前記伝送手段を経由して前記請求項１に記載の前記印刷装置に伝送する印刷端末であり、前記請求項１に記載の前記印刷装置は前記請求項１に記載の前記伝送手段を経由して取得した特定情報を有する前記請求項１に記載の印刷管理情報をのみを前記請求項１に記載の前記伝送手段を経由して前記請求項１に記載の前記印刷端末に伝送する前記請求項１に記載の前記印刷装置である、前記請求項１乃至４に記載の印刷システム。
【発明の詳細な説明】
【技術分野】
【０００１】
本発明は自身に印刷情報を持続的に保存する能力を有する印刷装置とその印刷装置に接続される端末により形成されるシステムに関わるものである。
【背景技術】
【０００２】
従来、印刷装置それ自体に印刷情報を恒常的に保持し必要時に応じ、再度印刷に供することは行なわれていた。
【０００３】
しかしながら、従来例においては、例えば、印刷装置内の印刷情報よりパーソナルコンピュータ等の印刷端末内にある印刷形式になっていないデータがより先に印刷される様な連続一括指示操作においては、パーソナルコンピュータ等の印刷端末内にあるデータの印刷形式への変換処理が終了するまでは印刷が開始されずにいた。
【０００４】
従来例としては、例えば特許文献１と特許文献２と特許文献３をあげることが出来る。
【特許文献１】特開２００２−９４９０９号公報
【特許文献２】特開２００３−２１６３７９号公報
【特許文献３】特開平０７−１４１１３２号公報
【発明の開示】
【発明が解決しようとする課題】
【０００５】
前項で説明したように、印刷装置内の印刷情報よりパーソナルコンピュータ等の印刷端末内にある印刷形式になっていないデータが先に印刷される様な連続一括指示操作においては、パーソナルコンピュータ等の印刷端末内にあるデータの印刷形式への変換処理が終了するまでは印刷が開始されずにいたため、全処理時間を短縮ことが出来ず、印刷装置内の印刷情報を保持する意味合いが薄かった。
【課題を解決するための手段】
【０００６】
本発明は上記従来例の問題を鑑みて行われたものである。
【０００７】
情報類を伝送する伝送手段により一体化された情報端末と印刷情報とその管理情報を保存する印刷装置からなる情報保存装置システムにおいて、指示された印刷順位に従う複数の印刷処理に先立ち、印刷装置が保存する管理情報を取得し、その管理情報に基づいて、印刷装置内に所望の印刷情報の存する印刷の印刷順位を印刷情報の存しない印刷の印刷順位より上げて処理するものである。
【発明の効果】
【０００８】
以上説明したように本発明においては、情報類を伝送する伝送手段により一体化された情報端末と印刷情報とその管理情報を保存する印刷装置からなる情報保存装置システムにおいて、指示された印刷順位に従う複数の印刷処理に先立ち、印刷装置が保存する管理情報を取得し、その管理情報に基づいて、印刷装置内に所望の印刷情報の存する印刷の印刷順位を印刷情報の存しない印刷の印刷順位より上げて処理することにより、処理時間の短縮が図れる。
【発明を実施するための最良の形態】
【０００９】
以下に、本発明の実施の形態について図面を参照して説明する。
【００１０】
尚、本発明の記録装置は印刷情報、及び管理情報を記憶する媒体としてハードディスクを採用しているが、ハードディスクに限らず、書き換え可能な不揮発性記録媒体で有れば、構成可能である。
【実施例１】
【００１１】
図１は本発明の第一の実施例をあらわすもので、個々の図を用いて説明する。
【００１２】
（１−１）は当システムの操作を行なう情報端末であり、（１−２）は（１−１）情報端末と（１−３）印刷装置との間の伝送を行なう伝送手段であり、（１−３）は（１−５）印刷情報を印刷する印刷装置であり、（１−４）は（１−３）印刷装置内に在し、（１−５）印刷情報と（１−６）第一管理情報を記録保持する記憶媒体であり当実施例ではハードディスクであり、（１−５）は（１−３）印刷装置により発現させられる印刷情報で当実施例では複数で有り得る。（１−６）は個々の（１−５）印刷情報の属性と管理情報をあらわす第一管理情報である。
【００１３】
（１−７）は（１−６）第一管理情報が（１−２）伝送手段を経由して所得され一時的に（１−１）情報端末に保持される第二管理情報であり、（１−８）は印刷指示を複数含む印刷指示情報である。
【００１４】
（１−９）は（１−６）第一管理情報及び（１−７）第二管理情報の細目を示したものであり、（１−１０）は（１−８）印刷指示情報の印刷単位の細目を示したものであり、（１−１１）は（１−１）情報端末から（１−２）伝送手段を経由して（１−３）印刷装置に伝送される個々の印刷指示である個別印刷指示情報である。
【００１５】
また、（１−１）情報端末及び（１−３）印刷装置内にはこれから述べる動作を司る仕組みが内在するが個々、図示していない。
【００１６】
以上の構成において、本実施例の動作を説明する。
【００１７】
まず初めに（１−１）情報端末及び（１−３）印刷装置個々の電源投入時に（１−１）情報端末及び（１−３）印刷装置の初期化が行なわれ、（１−２）伝送手段を経由して互いに正常に動作していることが確認された後、システムとしての機能が始まる。
【００１８】
（１−１）情報端末より複数の印刷指示がされる場合、（１−８）印刷指示情報が形成される。個々の印刷処理は（１−１０）印刷指示情報の細目に示され、ここで変換情報とは印刷元情報から印刷情報に変換する際に用いられるプロファイル及びその設定値である。また、部数は（１−３）印刷装置に該当する印刷情報が存在すると想定され前回の部数を指定する場合には“０”が、新たに部数を指定する場合には、それ以外が用いられる。
【００１９】
（１−８）印刷指示情報が形成され、印刷が指示されると、（１−１）情報端末は（１−２）伝送手段を経由して（１−３）印刷装置より（１−６）第一管理情報取得し、（１−７）第二管理情報として保持する。
【００２０】
その後、（１−１）情報端末は（１−８）印刷指示情報と（１−７）第二管理情報を比較することで、印刷に供される印刷情報が既に（１−３）印刷装置に存在するかを調べる。ここで、両者の同一性は各情報内の印刷情報名称と変換情報により確認される。つまり、同一の印刷元情報より変換された印刷情報であろうとも、変換時に用いられるプロファイル及びその設定値がことなるものは識別され、所望外の印刷は防止される。
【００２１】
もし、両者の同一性が保証される個々の印刷指示に対し、（１−１）情報端末は（１−２）伝送手段を経由して（１−３）印刷装置に（１−１１）個別印刷指示情報を伝送する。（１−３）印刷装置は（１−２）伝送手段を経由して（１−１）情報端末から伝送された（１−１１）個別印刷指示情報により指示された印刷情報を指定された部数で、 “０”が指定された場合には（１−６）第一管理情報に記録された部数で、“０”以外の値が指示された場合にはその値の部数で印刷する。
【００２２】
両者の同一性が保証されない個々の印刷指示に対し、（１−１）情報端末は自身内の（１−８）印刷指示情報に示された印刷元情報（図示していないが）を同様に（１−８）印刷指示情報に示された変換情報を用い印刷情報に変換した後、（１−２）伝送手段を経由して（１−３）印刷装置に（１−１１）個別印刷指示情報と共に伝送する。この際、万が一印刷部数に“０”が指定された場合には、“１”に置換する。
【００２３】
（１−３）印刷装置は（１−２）伝送手段を経由して（１−１）情報端末より伝送された印刷情報を（１−１１）個別印刷指示情報に従い印刷すると共に、それを自身内に保存し、（１−１１）個別印刷指示情報を（１−６）第一管理情報に加え更新する。
【００２４】
当実施例において部数情報を個々の印刷で更新するように構成することは可能である。
【実施例２】
【００２５】
図２は本発明の第一の実施例をあらわすもので、個々の図を用いて説明する。
【００２６】
（２−１）は当システムの操作を行なう情報端末であり、図示していないが当実施例では恒常的或いは個別に指示入力された使用者情報を保持する情報端末であり、（２−２）は（２−１）情報端末と（２−３）印刷装置との間の伝送を行なう伝送手段であり、（２−３）は（２−５）印刷情報を印刷する印刷装置であり、（２−４）は（２−３）印刷装置内に在し、（２−５）印刷情報と（２−６）第一管理情報を記録保持する記憶媒体であり当実施例ではハードディスクであり、（２−５）は（２−３）印刷装置により発現させられる印刷情報で当実施例では複数で有り得る。（２−６）は個々の（２−５）印刷情報の属性と管理情報をあらわす第一管理情報である。
【００２７】
（２−７）は（２−６）第一管理情報が（２−２）伝送手段を経由して所得され一時的に（２−１）情報端末に保持される第二管理情報であり、（２−８）は印刷指示を複数含む印刷指示情報である。
【００２８】
（２−９）は（２−６）第一管理情報及び（２−７）第二管理情報の細目を示したものであり、（２−１０）は（２−８）印刷指示情報の印刷単位の細目を示したものであり、（２−１１）は（２−１）情報端末から（２−２）伝送手段を経由して（２−３）印刷装置に伝送される個々の印刷指示である個別印刷指示情報である。
【００２９】
また、（２−１）情報端末及び（２−３）印刷装置内にはこれから述べる動作を司る仕組みが内在するが個々、図示していない。
【００３０】
以上の構成において、本実施例の動作を説明する。
【００３１】
まず初めに（２−１）情報端末及び（２−３）印刷装置個々の電源投入時に（２−１）情報端末及び（２−３）印刷装置の初期化が行なわれ、（２−２）伝送手段を経由して互いに正常に動作していることが確認された後、システムとしての機能が始まる。
【００３２】
（２−１）情報端末より複数の印刷指示がされる場合、（２−８）印刷指示情報が形成される。個々の印刷処理は（２−１０）印刷指示情報の細目に示され、ここで変換情報とは印刷元情報から印刷情報に変換する際に用いられるプロファイル及びその設定値である。また、部数は（２−３）印刷装置に該当する印刷情報が存在すると想定され前回の部数を指定する場合には“０”が、新たに部数を指定する場合には、それ以外が用いられる。
【００３３】
（２−８）印刷指示情報が形成され、印刷が指示されると、（２−１）情報端末は自身の使用者情報を（２−２）伝送手段を経由して（２−３）印刷装置に伝送し、（２−３）印刷装置は第一管理情報のうち指示された使用者情報を有する管理情報のみを（２−２）伝送手段を経由して（２−１）情報端末に伝送し、情報端末（２−１）は取得した情報を第二管理情報として保持する。
【００３４】
その後、（２−１）情報端末は（２−８）印刷指示情報と（２−７）第二管理情報を比較することで、印刷に供される印刷情報が既に（２−３）印刷装置に存在するかを調べる。ここで、両者の同一性は各情報内の印刷情報名称と変換情報により確認される。つまり、同一の印刷元情報より変換された印刷情報であろうとも、変換時に用いられるプロファイル及びその設定値がことなるものは識別され、所望外の印刷は防止される。
【００３５】
もし、両者の同一性が保証される個々の印刷指示に対し、（２−１）情報端末は（２−２）伝送手段を経由して（２−３）印刷装置に（２−１１）個別印刷指示情報を伝送する。（２−３）印刷装置は（２−２）伝送手段を経由して（２−１）情報端末から伝送された（２−１１）個別印刷指示情報により指示された印刷情報を指定された部数で、“０”が指定された場合には（２−６）第一管理情報に記録された部数で、“０”以外の値が指示された場合にはその値の部数で印刷する。
【００３６】
両者の同一性が保証されない個々の印刷指示に対し、（２−１）情報端末は自身内の（２−８）印刷指示情報に示された印刷元情報（図示していないが）を同様に（２−８）印刷指示情報に示された変換情報を用い印刷情報に変換した後、（２−２）伝送手段を経由して（２−３）印刷装置に（２−１１）個別印刷指示情報と共に伝送する。この際、万が一印刷部数に“０”が指定された場合には、“１”に置換する。
【００３７】
（２−３）印刷装置は（２−２）伝送手段を経由して（２−１）情報端末より伝送された印刷情報を（２−１１）個別印刷指示情報に従い印刷すると共に、それを自身内に保存し、（２−１１）個別印刷指示情報を（２−６）第一管理情報に加え更新する。
【００３８】
当実施例において部数情報を個々の印刷で更新するように構成することは可能である。
【図面の簡単な説明】
【００３９】
【図１】本発明の第一の実施例をあらわすものである。
【図２】本発明の第二の実施例をあらわすものである。
【符号の説明】
【００４０】
１−１  情報端末
１−２  伝送手段
１−３  印刷装置
１−４  記憶媒体
１−５  印刷情報
１−６  第一管理情報
１−７  第二管理情報
１−８  印刷指示情報
１−９  （１−６）第一管理情報および（１−７）第二管理情報の細目
１−１０  （１−８）印刷指示情報の細目
１−１１  個別印刷指示情報（細目）
２−１  情報端末、
２−２  伝送手段、
２−３  印刷装置、
２−４  記憶媒体、
２−５  印刷情報、
２−６  第一管理情報、
２−７  第二管理情報、
２−８  印刷指示情報、
２−９  （１−６）第一管理情報および（１−７）第二管理情報の細目、
２−１０  （１−８）印刷指示情報の細目、
２−１１  個別印刷指示情報（細目）である。
【図１】
2007109153.tif 000003
【図２】
2007109153.tif 000004